(57)【要約】【課題】  自転車用ボトル内部の飲料水の温度を保持する効果を高め、ボトルの汚れ防止することを課題とする。【解決手段】  ボトルおよびボトルケージ全体を覆うケースを製作し、装着する。ケース内部に保温材または保冷材を収納すると、更に良い。  ボトルの出し入れは、ケースに設けられた蓋を開いて行なう。ボトルケージおよびケースは、自転車各部に固定される。【選択図】  図１
2006312435.tif 000002
【特許請求の範囲】
【請求項１】
ボトルケージに収められた自転車用ボトル及びボトルケージを収納し、ボトルを出し入れする際に開閉する蓋を備え、自転車の各部位に固定されることを特徴とするケース。
【発明の詳細な説明】
【技術分野】  本発明は、自転車用ボトルを収納するケースに関するものである。
【背景技術】
【０００１】  市販されている多くの自転車用ボトルは、厚さ２ｍｍ程度の樹脂一枚で出来ており、内部の飲料水の温度を保持する効果がない。【０００２】  断熱効果を高めた自転車用ボトルには、以下の欠点がある。
１  保温材または保冷材を使用しないので、飲料水の温度保持が長時間は出来ない。
２  ボトル外形が定型サイズとなっているため、容量が減る。
３  飲み口の保温対策がないものがあり、これは飲み口が冬季に凍結して、使用不能となる。【０００３】  自転車用ボトルは自転車フレームのダウンチューブ、シートチューブに取りつけられたボトルケージに収納されることが多い。この場合、自転車走行中に、空気中に舞う埃、降雨、自転車前輪の跳ね上げた泥水、搭乗者の汗によって、ボトルが汚れる。その防汚対策が施されていない。
【発明の開示】
【発明が解決しようとする課題】
【０００４】  １  ボトル内部の飲料水の温度保持効果を高める。
２  ボトル外部の汚れを防止する。
【課題を解決するための手段】
【０００５】  ボトル（１６）、ボトルケージ（１５）全体をケース（１）で覆う。ケース（１）およびボトルケージ（１５）は、間接的にあるいは直接に、自転車各部位に固定される。ボトル（１６）の出し入れは、蓋Ａ（２）を開けて行う。【０００６】  ケース（１）内に保温材または保冷材（１８）を入れる収納空間を設け、必要に応じて保温材または保冷材（１８）を入れる。ケース（１）の断熱性が高いと、更に良い。
【発明の効果】
【０００７】  後述〔実施例１〕および〔同２〕においては、保温材または保冷材（１８）を用いたことにより、長時間にわたって飲料水の温度が保持される。〔実施例３〕あるいは〔同１〕〔同２〕において保温材または保冷材（１８）を用いない場合でも、若干の温度保持効果があることは、もちろんである。
飲み口（１７）が保温されることにより、冬季にこれが凍結することが防止される。【０００８】  ボトル（１６）の収納時に、ケース（１）内部が外気と遮断されていることにより、ボトル（１６）の汚れが防止される。
【発明を実施する為の最良の形態】
【０００９】  市販されているボトル（１６）、ボトルケージ（１５）は定型サイズで作られているので、これに応じるよう、ケース（１）の各部寸法を設定する。
ケース（１）の外形は角に丸みを持たせた四角柱型を基本形状とし、樹脂にて製作する。ケース（１）内側に発砲スチロールを張りつける、あるいは、アルミ蒸着をすると、更によい。他にケース（１）の断熱性を高める方法があれば、取り入れてよい。
ケース（１）の自転車への取り付け部には、ボトルケージ取り付け部（１４）と同寸法、同間隔の穴を設け、取り付けボルト（１３）にて自転車フレームのダウンチューブ（１０）あるいはシートチューブに、ボトルケージ（１５）と共締めにて固定する。
ヒンジ（４）にて連結された蓋Ａ（２）が開いて、ボトル（１６）の出し入れが行なわれる。ボトル（１６）の収納時は、蓋Ａ（２）は固定フック（５）にて、閉じた状態で固定される。
ボトルケース最下部に水抜き穴（８）を設ける。
損傷を防ぐ為、ケース（１）とボトル（１６）及びボトルケージ（１５）及び自転車各部位とは、取りつけ部を除いて接触しないことが望ましい。
ケース（１）着脱作業における取り付けボルト（１３）を回す作業は、片方は、工具を通す穴（６）より工具を通して行ない、もう片方は蓋Ａ（２）を開いて行なう。蓋Ａ（２）を小さく設計する場合は、工具を通す穴（６）を二つ設ける。
工具を通す穴（６）は、ケース（１）の着脱作業時を除いて、ハトメ（７）によってふさがれる。
【００１０】  保冷材または保温材（１８）の収納方法は、後述〔実施例〕にて示す。
【実施例１】
【００１１】  前項目〔発明を実施する為の最良の形態〕を実施する。更に、ケース（１）の斜め下方、すなわち〔図２〕における左端を延長して生まれた空間に、保冷材または保温材（１８）を入れる。保冷材または保温材（１８）の出し入れは、蓋Ｂ（３）を開いて行なう。
保温材は、使い捨てカイロが適する。保冷材は、氷、ドライアイスが適する。
【実施例２】
【００１２】  上記〔実施例１〕と比べて、ケース（１）は太く全長が短い。更に、仕切り板（９）が追加され、蓋Ｂ（３）は削除され、保冷材または保温材（１８）の収納場所が変更されている。ケース（１）外形は、四角柱ではなくなる。
ケース（１）の全長が短くなったことにより、〔実施例１〕が装着できない小さい自転車にも、装着可能となる。
【実施例３】
【００１３】  上記〔実施例１〕と比べ、ケース（１）の〔図２〕の左側が短縮され、蓋Ｂ（３）が削除されている。これより、保冷材または保温材を収納する空間が消滅している。これは、温度保持効果を重視しない用途に適している。【００１４】  ケース（１）外形は〔図１、２、３、４〕にて示された形状以外も可能である。ボトル（１６）の収納、出し入れ、及び蓋Ａ（２）蓋Ｂ（３）の開閉に支障がなく、自転車の各操作に支障がないという条件を満たす範囲で、美観を、あるいはコスト削減を追求することが可能である。
【産業上の利用可能性】
【００１５】  自転車用ボトル（１６）、ボトルケージ（１５）の多くは定型サイズで製造されている。それに応じるケースを製作することにより、多くの自転車用ボトル使用者が、本発明のケース（１）以外に新たな物品を購入する必要なく、これを使用することが出来る。【００１６】  ケース（１）の着脱および使用に際して、ボトル（１６）、ボトルケージ（１５）、自転車フレームに加工をする必要がない。ケース（１）が不要の場合は、簡単な作業にて取り外すことが出来る。
【図面の簡単な説明】
【００１７】
【図１】  〔実施例１〕で、蓋Ａ（２）が開いた状態を細部省略して示す。
【図２】  〔実施例１〕の断面詳細を示す。
【図３】  〔実施例２〕を断面詳細示す。
【図４】  〔実施例３〕を断面詳細示す。〔図２、３、４〕は、ダウンチューブ（１０）およびケース（１）の２部材のみを対称面にて切断し、ボトル（１６）、ボトルケージ（１５）、取り付けボルト（１３）、保温材または保冷材（１８）は、そのままの状態で描かれている。簡単の為、図はケース（１）の取り付け面が水平になるよう、回転させて示してある。
【符号の説明】
【００１８】１  ケース
２  蓋Ａ
３  蓋Ｂ
４  ヒンジ
５  固定フック
６  工具を通す穴
７  ハトメ
８  水抜き穴
９  仕切り板
１０  ダウンチューブ
１１  ダウンチューブ断面
１２  ケース断面
１３  取り付けボルト
１４  ボトルケージ取り付け部
１５  ボトルケージ
１６  ボトル
１７  飲み口
１８  保温材または保冷材
【図１】
2006312435.tif 000003
【図２】
2006312435.tif 000004
【図３】
2006312435.tif 000005
【図４】
2006312435.tif 000006